(57)【要約】【課題】  山間部などの傾斜地に対する土砂崩壌防止を、簡便容易且つ経済的安価に実施可能にする工法の提供。【解決手段】  直径２０ｍｍ〜７５ｍｍ、長さ寸法２０００ｍｍ〜５０００ｍｍの耐蝕製パイプの上半部外周面に多数の透孔を穿設した抜水パイプと、該抜水パイプ内を一定な空間が形成されるようにして挿通させてなる高圧水噴射管、及び油圧又はエアーなどのハンマーガンとからなり、上記高圧水噴射管の先端ノズルは抜水パイプの先端付近に位置させ、これに対し後端部は脱着金具を介して抜水パイプの始端へ一体的に取付けると共に、圧力水の送給ホースに接続させ、且つ上記高圧水噴射管と結合させた抜水パイプを油圧又はエアーなどのハンマーガンを使用して山地などの傾斜面の水平方向へ打込むことを特徴とする。【選択図】      図３
2008106545.tif 000002
【特許請求の範囲】
【請求項１】
直径２０ｍｍ〜７５ｍｍ、長さ寸法２０００ｍｍ〜５０００ｍｍの耐蝕製パイプの上半部外周面に多数の透孔を穿設した抜水パイプと、該抜水パイプ内を一定な空間が形成されるようにして挿通させてなる高圧水噴射管、及び油圧又はエアーなどのハンマーガンとからなり、上記高圧水噴射管の先端ノズルは抜水パイプの先端付近に位置させ、これに対し後端部は脱着金具を介して抜水パイプの始端へ一体的に取付けると共に、圧力水の送給ホースに接続させ、且つ上記高圧水噴射管と結合させた抜水パイプを油圧又はエアーなどのハンマーガンを使用して山地などの傾斜面の水平方向へ打込むことを特徴とする土砂表層崩壌防止対策工法。
【請求項２】
上記抜水パイプの打込み後に、該抜水パイプの内径と同等のフランジを備え、且つ先端に一定長の鉾先を備えた固定部材を岩盤層へ打込み、上記抜水パイプと一体化させるものとなすことを特徴とする請求項１記載の土砂表層崩壌防止対策工法。
【請求項３】
上記抜水パイプを山地傾斜面に対し、上下及び横方向間隔が凡そ５００ｍｍ〜２０００ｍｍとなるようにして打込むことを特徴とする請求項１又は２記載の土砂表層崩壌防止対策工法。
【請求項４】
上記抜水パイプを雁行状態に打込むことを特徴とする請求項２又は３記載の土砂表層崩壌防止対策工法。
【発明の詳細な説明】
【技術分野】
【０００１】
本発明は山地の傾斜面などに於ける土砂表層崩壌防止対策工法に関する。
【背景技術】
【０００２】
近年、集中豪雨により土砂崩壌が全国各地で頻繁に発生している。とりわけ、僻地や山間部などの傾斜面で、土砂崩壌が著しく社会問題化している。この土砂崩壌の殆どは表層２ｍ前後の範囲で発生しているのであり、田畠や住宅を押し潰し、将又人命損失などの大きな被害に発展させる原因となっている。
【０００３】
表層土砂崩壌の原因は降雨が地層に浸透し、単位重量が増加すると共に、土質が軟弱化し、安定摩擦力が低下することと相俟って、これが限界を超えることにより発生するのである。
【０００４】
これが予防対策としては、危険場所に対し防水シートを被覆し、降雨の地層に対する浸透を防止することが行われているが、専ら応急的な対策に過ぎなくて永久的な処置として評価することはできない。
【特許文献１】特開２００６−６３７４５
【発明の開示】
【発明が解決しようとする課題】
【０００５】
本発明は上記問題点を解決せんとするものであって、即ち一時的な応急対策としての処置ではなく、半永久的な処置対策を、簡便容易に且つ経済的安価に実施可能ならしめんとするものである。
【課題を解決するための手段】
【０００６】
本発明は、  直径２０ｍｍ〜７５ｍｍ、長さ寸法２０００ｍｍ〜５０００ｍｍの耐蝕製パイプの上半部外周面に多数の透孔を穿設した抜水パイプと、該抜水パイプ内を一定な空間が形成されるようにして挿通させてなる高圧水噴射管、及び油圧又はエアーなどのハンマーガンとからなり、上記高圧水噴射管の先端ノズルは抜水パイプの先端付近に位置させ、これに対し後端部は脱着金具を介して抜水パイプの始端へ一体的に取付けると共に、圧力水の送給ホースに接続させ、且つ上記高圧水噴射管と結合させた抜水パイプを油圧又はエアーなどのハンマーガンを使用して山地などの傾斜面の水平方向へ打込むようになすのであり、このさい抜水パイプの打込み後は、該抜水パイプの内径と同等のフランジを備え、且つ先端に一定長の鉾先を備えた固定部材を岩盤層へ打込み、上記抜水パイプと一体化させるようになすのである。
【０００７】
上記に於ける抜水パイプの打込み配列は、その上下及び横方向間隔が凡そ５００ｍｍ〜２０００ｍｍとなるようにするのであり、またこれら抜水パイプは雁行状態を形成するようになされることが好ましい。
【発明の効果】
【０００８】
本発明は以上の構成により、即ち土砂崩壌の危険を孕んでいるとされる表層２ｍの傾斜地面に対し、所定間隔で、且つ所定の深さに抜水パイプを打込んで固定させることにより、降雨による浸透水を常時確実に抜水し、土質の重量の増加とその軟弱化を防ぎ、土砂崩壌を未然に防止させることのできるものとなる。このさい、本発明では大型機器を使用しないため、山間奥地の僻地であっても、簡便且つ迅速に、しかも経済的安価な作業を遂行させることのできるものである。
【発明を実施するための最良の形態】
【０００９】
図１は本発明工法の実施で使用する抜水パイプ及び高圧水噴射管の中央破断斜視図である。抜水パイプ１は該図面で見られる如きものであって、その肉厚は凡そ５ｍｍ、直径は２０ｍｍ〜７５ｍｍ、長さ寸法は２０００ｍｍ〜５０００ｍｍの耐蝕製パイプであり、且つ上半部の外周面には直径５ｍｍ〜１０ｍｍとなした透孔２が５０ｍｍ〜１００ｍｍの間隔で長さ方向へ、そして円周方向には３０ｍｍ〜５０ｍｍのずれ間隔で、且つ上記列の透孔間に位置するよう穿設されるものとなされている。
【００１０】
３は高圧水噴射管であって、上記抜水パイプ１の後端部ｂに対し、脱着金具４を介して一体的に取付けられるようになされるのであり、図示例では脱着金具４を雌雄の係合金具４ａ，４ｂに形成し、雌型金具４ａは抜水パイプ１の後端部ｂへ溶着させるものとなし、これに対し雄型金具４ｂは高圧水噴射管３の根元部を固定ナット５の使用で一体的に止着させるものとなしてある。なお、図面で６は図示しない高圧水発生装置からのホース継手である。
【００１１】
本発明で高圧水噴射管３は上記の通り抜水パイプ１内の下方箇所へ、上方部に一定容積の空間７が形成されるように取付けるものとなさており、一方該管３の先端ノズル８は抜水パイプ１の先端部付近に位置させるものとなしてある。
【００１２】
図２は上記構成の抜水パイプ１を傾斜地に対し打込み後に、該抜水パイプ１内の先端部ａに向って油圧やエアーなどのハンマーガンを使用して打込み、抜水パイプ１の先端部内で一体化させるものとなす固定部材９であって、鉾先形状となした長さ寸法は５００ｍｍ〜１０００ｍｍで上半部外周に１０ｍｍ〜２０ｍｍの透孔１０を適当間隔に穿設し、その根元側には抜水パイプ１の内径と同等の外径を備えたフランジ１１を取付けたものとなされている。なお、フランジ１１は中心部に孔１２を穿設してあって、上記透孔１０からの流入水が該孔１２を通って抜水パイプ１内へ流出可能となされる。
【００１３】
図３は図１で示した抜水パイプ１を、内蔵させた高圧水噴射管３の先端ノズルから高圧水を噴射させると共に、油圧又はエアなどのハンマーガン１３を介し、軟弱地質層１４の表面からその水平方向へ打込む作業状態の説明図であり、該図面で１５は抜水パイプを脱着金具４の箇所でハンマーガン１１と一体化させる束帯、１６はハンマーガンの支持脚、１７及び１８は夫々れのホースである。なお、図面で１９は岩盤層であって、本願発明では抜水パイプ１の打込みは、その地表面から岩盤層１９に到達するまでの範囲であり、即ち抜水パイプ１内からその先端口へ配置される高圧水噴射管３の先端ノズル８から、高圧水を噴射させながら地層内土砂を噴射水と共に抜水パイプ内へ取り込みながら掘り進んで行くのであり、該図面で１’は斯くして地層内へ挿入された抜水パイプである。
【００１４】
而して、上記の如くして軟弱地質層１４内へ挿入された抜水パイプ１’は岩盤層１９に対し、図２で示した固定部材９を使用して岩盤層１９へ安定的に固定されるようになすのであり、図４は上記抜水パイプ１’内へ該固定部材９の打込まれる状態の一部破断説明図である。２０は打込みロッドであって、固定部材９のフランジ１１をハンマーガン１３の押圧動作で打ち込んで行くのであり、このさい抜水パイプ１’の全長に対しハンマーガン１３の先端に取付けた打込みロッド２０の長さ寸法を適当寸法短くすることにより、固定部材９の鉾先ｐの一定長が岩盤層１９へ打込まれ、且つそのフランジ１１部分が抜水パイプ１’内へ係合状態で残るようにすることのできるものとなる。
【００１５】
図５は上記の如くして打込まれた固定部材９及び、これに支持された抜水パイプ１’の一部破断説明図であり、地層内の浸透水は透孔２，１０などを介して常に抜水パイプ１’内へ取り込まれ、その後端部ｂから排出されるものとなるのである。
【００１６】
図６Ａ，Ｂは上記の如くして実施された山地斜面の断面図及び正面図であり、各抜水パイプ１’の隣接する間隔はパイプ径との関係で適宜任意に設計することができるが、本発明者の数多実験結果から好適な使用とされるパイプ径２０ｍｍ〜８０ｍｍに対し、凡そ５００ｍｍ〜２０００ｍｍ間隔となしたものが好結果が得られた。このさい、各抜水パイプ１’を同図Ｂで示す如き雁行状態となるようにすることが優れたものとなる。
【００１７】
本発明は上記の如く構成するものであって、作業現場には手持ちのハンマーガン１３と高圧水噴射管３を持ち込むだけで、即ち作業現場へ直接的に大型機器や足場などの据付けを必要としないで、簡便且つ迅速な作業を遂行させることのできるものであり、しかも経済的に安価なものとなる。
【００１８】
上記実施例で軟弱地質層１４を標準的な２ｍを例にして説明したが、その最大が５ｍとなるような場合は上記した工法の実施後、即ち５ｍの奧へ長さ２ｍの抜水パイプ１を適宜継ぎ合せながら押し込み、あと固定部材９を岩盤層１９へ打込んで同様の安定状態に固定するのである。これに対しこの逆の場合、即ち２ｍ以下で岩盤層１９へ到達した場合は、抜水パイプ１の突出端はカッター切断機で適宜切断するのである。
【図面の簡単な説明】
【００１９】
【図１】本発明工法の実施で使用する抜水パイプ及び高圧水噴射管の中央破断斜視図である。
【図２】本発明工法の実施で使用する固定部材の正面図である。
【図３】作業途中の状態説明図である。
【図４】抜水パイプ内へ固定部材が打込まれる状態の一部破断説明図である。
【図５】作業の完了状態を示す一部破断説明図である。
【図６】山地傾斜面に対し実施された本発明工法の実施例説明図であってＡは断面図、Ｂは正面図である。
【符号の説明】
【００２０】
１      抜水パイプ
２      透孔
３      高圧水噴射管
４      係合金具
５      固定ナット
６      ホース継手
７      空間
８      先端ノズル
９      固定部材
１０    透孔
１１    フランジ
１３    ハンマーガン
１４    軟弱地質層
１６    ハンマー支持脚
１９    岩盤層
２０    打込みロッド
【図１】
2008106545.tif 000003
【図２】
2008106545.tif 000004
【図３】
2008106545.tif 000005
【図４】
2008106545.tif 000006
【図５】
2008106545.tif 000007
【図６】
2008106545.tif 000008